(57)【要約】ビデオ再生装置は、ビデオ再生装置の全ての再生制御機能を表すディスプレイにアイコンを表示するためにコントローラ及びオンスクリーンディスプレイプロセッサを含む。所望の再生制御機能を選択するためのカーソルは、リモート制御ユニットのカーソル移動キーにより制御される。また、コントローラは、リモート制御ユニットにより選択された制御信号を、ビデオ再生装置に接続された補助的なビデオ再生装置に供給することができる。
2007525115.tif 000002
【特許請求の範囲】
【請求項１】
ビデオ再生装置の再生制御機能のオンスクリーン制御のための手段を含むビデオ再生装置であって、
前記オンスクリーン制御のための手段は、
前記ビデオ再生装置の全ての再生制御機能を表す複数のアイコンを表示用に生成する手段と、
前記複数のアイコンのうちの所望のアイコンを示すため、前記複数のアイコンの間でカーソルを移動する手段と、
前記複数のアイコンのうちの前記所望のアイコンを選択する手段と、
前記複数のアイコンのうちの選択されたアイコンにより表される再生制御機能をイネーブルにする手段と、
を有することを特徴とするビデオ再生装置。
【請求項２】
前記移動する手段及び前記選択する手段は、カーソル制御キーを有するリモート制御ユニットである、
請求項１記載のビデオ再生装置。
【請求項３】
前記生成する手段は、前記複数のアイコンにより表される前記再生制御機能のうちのどの機能が現在アクティブであるかを示す手段を更に有する、
請求項１記載のビデオ再生装置。
【請求項４】
前記選択する手段は、前記選択されたアイコンに関する前記所望の選択を示す手段を更に有する、
請求項２記載のビデオ再生装置。
【請求項５】
前記ビデオ再生装置は、
再生制御機能を有する補助的なビデオ再生装置からのビデオ信号を受信し、更に、前記補助的なビデオ再生装置の全ての再生制御機能を制御するための再生制御信号を発生するコントローラと、
補助的なビデオ再生装置に接続し、前記コントローラに前記受信されたビデオ信号を供給し、前記コントローラから前記再生制御信号を受信する入力／出力インタフェースと、
前記生成する手段を切り替え、前記補助的なビデオ再生装置の再生制御機能を表す複数のアイコンを表示用に生成する手段とを有する、
請求項１記載のビデオ再生装置。
【発明の詳細な説明】
【技術分野】
【０００１】
本発明は、ビデオ再生装置の制御に関し、より詳細には、オンスクリーンアイコンを介したビデオ再生装置の制御に関する。
【背景技術】
【０００２】
典型的に、ビデオ再生装置は、ワイヤレスリモートコントロールユニットの使用を通して制御される。専用キーは、たとえば、ＰＬＡＹ，ＳＴＯＰ，ＰＡＵＳＥ，ＳＬＯＷ  ＦＯＲＷＡＲＤ  ＰＬＡＹ，ＦＡＳＴ  ＦＯＲＷＡＲＤ  ＰＬＡＹ，ＳＬＯＷ  ＲＥＶＥＲＳＥ  ＰＬＡＹ，ＦＡＳＴ  ＲＥＶＥＲＳＥ  ＰＬＡＹ，ＦＡＳＴ  ＷＩＮＤ，ＲＥＷＩＮＤ等といった、プレイバック制御モードを制御するためにリモートコントロールユニットに存在する。かかるビデオ再生装置の例は、ＶＣＲ又はＤＶＤ−ＲＷレコーダである。しかし、リモートコントロールユニットにキーの数を低減するため、様々な機能が１つのキーで結合されることがある。たとえば、ｓｌｏｗ  ｆｏｒｗａｒｄ，ｆａｓｔ  ｆｏｒｗａｒｄ及びｆａｓｔ  ｗｉｎｄが１つのキーで結合される場合があり、ＰＬＡＹモードにおいて、１つのキーが瞬間に押された場合、装置はＦＡＳＴ  ＦＯＲＷＡＲＤ  ＰＬＡＹモードに進み、１つのキーが押され、保持された場合、装置はＳＬＯＷ  ＦＯＲＷＡＲＤ  ＰＬＡＹモードに進む。さらに、同じ１つのキーを押すことでＳＴＯＰモードが実施された場合、装置はＦＡＳＴ  ＷＩＮＤモードに進む。さらに、これらの機能の組み合わせは、異なる製造業者からの異なるビデオ再生装置間で同じではなく、同じ製造業者からの異なるモデルの間でさえも同じではない。
【０００３】
かかるように、ビデオプレイバック装置のリモートコントロールの使用は、ユーザにとって常に直感的なものではなく、ユーザは、どのキーが押される必要があるかを解決するため、リモートコントロールユニットを繰返し見る必要があり、多くの例では、ユーザは、ビデオ再生装置を制御するのに利用可能な全ての再生制御オプションを十分に利用することができるため、オーナーズマニュアルを参照する必要さえある。
【０００４】
上の状況を軽減する試みにおいて、ビデオ再生装置になかには、ビデオ再生装置を制御するための制限されたオンスクリーンアイコンを提供する。しかし、様々なメニューは、各種制御オプションを表示するために「呼び出される」必要がある。さらに、たとえばＤＶＤ＋ＲＷレコーダに接続されるカムコーダといった、ビデオ再生装置に接続される補助的なビデオ再生装置を制御するための手段がないことがある。
【発明の開示】
【発明が解決しようとする課題】
【０００５】
本発明の目的は、その全ての再生制御機能がディスプレイスクリーンにアイコンとして表示され、所望の再生制御機能が適切なスクリーンアイコンを選択することで実行される再生装置を提供することにある。
【課題を解決するための手段】
【０００６】
上記目的は、前記ビデオ再生装置の再生制御機能のオンスクリーン制御のための手段を含むビデオ再生装置で達成され、前記オンスクリーン制御のための手段は、前記ビデオ再生装置の全ての再生制御機能を表す複数のアイコンを表示のために生成する手段、前記複数のアイコンのうちの所望のアイコンを示すために前記複数のアイコンの間でカーソルを移動させる手段、前記複数のアイコンのうちの前記所望のアイコンを選択する手段、及び、前記複数のアイコンのうちの選択されたアイコンにより表される再生制御機能をイネーブルにする手段を有する。
【０００７】
本発明によれば、ユーザは、ディスプレイスクリーンで再生制御機能のオプションを見て、所望の再生制御機能を選択するためにリモート制御ユニットのカーソル制御キーを操作することで、ビデオ再生装置の全ての再生制御機能を制御することができる。  
上記目的及び利点、並びに更なる目的及び利点、更には以下に記載される内容を考慮に入れて、本発明は添付図面を参照して記載される。
【発明を実施するための最良の形態】
【０００８】
図１は、ビデオ再生装置のブロック概念図を示す。ビデオ再生装置は、アンテナ１０として示される入力を介してテレビジョン信号を受信する。アンテナが示されているが、入力は、たとえばビデオテープ又はＤＶＤといった内蔵のビデオ信号源、若しくはたとえばケーブル、サテライト等といった他の外部ソースである場合があることを理解されたい。チューナ１２は、テレビ信号のうちの１つを選択するためにアンテナ１０に接続されている。デジタルデコーダ１４は、チューナ１２からのデジタルテレビ信号を受け、このデジタルテレビ信号をデコードし、対応するビデオ信号をビデオ信号プロセッサ１６に提供する。チューナ１２はアナログテレビ信号を選択した場合、チューナ１２は、対応するビデオ信号をビデオ信号プロセッサ１６に直接供給する。
【０００９】
ビデオ信号プロセッサ１６は、コントラスト、明るさ及び色調整を含めて、様々な処理をビデオ信号に適用する。ビデオ信号プロセッサ１６からの出力は、ビデオスイッチ１８を通してディスプレイスクリーン２０に印加される。
【００１０】
コントローラ２２は、チューナ１２、デジタルデコーダ１４及びビデオ信号プロセッサ１６を制御するために含まれる。オンスクリーンメッセージをビデオ再生装置のユーザに提供するため、コントローラ２２は、メッセージ信号をオンスクリーンディスプレイプロセッサ２４に供給し、このプロセッサは、適切なメッセージビデオ信号ビデオスイッチ１８に供給する。次いで、コントローラ２２は、ビデオスイッチ１８を制御して、オンスクリーンディスプレイプロセッサ２４からのメッセージビデオ信号を、ディスプレイスクリーン２０に供給されるビデオスイッチ１８からのビデオ信号ストリームに配置する。
【００１１】
コントローラ２２は、赤外線レシーバ２６からの制御信号を受け、この赤外線レシーバは、ユーザにより作用可能なリモートコントロールユニット２８からの赤外線制御信号を受ける。さらに、コントローラ２２は、たとえばデジタルカムコーダ３２からのデジタルビデオ信号を受信するための入力／出力（Ｉ／Ｏ）インタフェース３０に接続される。このため、コントローラは、これらデジタルビデオ信号をデジタルデコーダ１４に更に供給する。Ｉ／Ｏインタフェース３０は、コントローラ２２との間で高速、双方向デジタルリンクを提供するｉ．ｌｉｎｋＴＭの形式である場合がある。かかるように、コントローラ２２は、再生制御信号をカムコーダ３２に送出することができる。
【００１２】
リモート制御ユニット２８は、テレビチャネルを直接入力するための各種数字キー（図示せず）、及びテレビチャネルを走査するためのキー（図示せず）を有するキーパッドを含む。さらに、図２に示されるように、リモート制御ユニット２８は、ディスプレイスクリーン２０でカーソルを上下左右に移動させるためのカーソル制御キー４０，４２，４４及び４６、並びにカーソルの位置により示される機能を選択するＳＥＬＥＣＴキー４８を含む。
【００１３】
図３Ａは、コントローラ２２の制御下でディスプレイスクリーン２０に表示される、ビデオ再生装置の再生制御機能のアイコンを示している。これら再生制御機能は、ＦＡＳＴ  ＲＥＶＥＲＳＥ  ＰＬＡＹ  ６０，ＲＥＶＥＲＳＥ  ＰＬＡＹ  ６２，ＳＬＯＷ  ＲＥＶＥＲＳＥ  ＰＬＡＹ  ６４，ＰＡＵＳＥ  ６６，ＳＬＯＷ  ＦＯＲＷＡＲＤ  ＰＬＡＹ  ６８，ＦＯＲＷＡＲＤ  ＰＬＡＹ  ７０，ＦＡＳＴ  ＦＯＲＷＡＲＤ  ＰＬＡＹ  ７２，ＲＥＷＩＮＤ  ７４，ＳＴＯＰ７６及びＦＡＳＴ  ＷＩＮＤ  ７８を含む。ハイライト８０は、このケースではＦＯＲＷＡＲＤ  ＰＬＡＹ  ７０である、現在アクティブな再生制御モードの周りで図示されている。リモートコントロールユニット２８でのカーソル制御キー４０−４６及びＳＥＬＥＣＴキー４８を操作するために彼／彼女の指を単に使用することで、ユーザにより所望の再生制御モードが選択される。カーソルの移動は、（このケースではＲＥＶＥＲＳＥ  ＰＬＡＹ  ６２である）所望の再生制御モードを囲んでいるボックス８２により示される。かかるように、ユーザは、リモート制御ユニット２８を見る必要はないが、むしろ、ビデオ再生装置の再生制御機能のアイコンにより重ねられる関連するビデオ番組を表示するディスプレイスクリーン２０を見る必要がある。
【００１４】
なお、外部のイベントのため、（ボックス８２により示される）現在の再生制御モードを示しているハイライト８０は、所望の再生制御モードに瞬間的に切り替わらない場合がある。たとえば、現在の再生制御モードが（ハイライト８０により示されるような）ＦＯＲＷＡＲＤ  ＰＬＡＹ  ７０であり、所望の再生制御モードが（ボックス８２により示されるような）ＲＥＶＥＲＳＥ  ＰＬＡＹである場合、順方向でＰＬＡＹを停止し、逆方向でＰＬＡＹを始動するため、ビデオ再生装置の僅かな遅延が存在する。
【００１５】
ＳＥＬＥＣＴキー４８を押す代替として、所望の再生制御モードは、所望の再生制御モードにカーソルを単に移動してユーザにより選択される場合がある。このケースでは、図３Ａに示される構成について、ＦＯＲＷＡＲＤ  ＰＬＡＹ制御モードから、ユーザは、左のカーソルキーを４回押し、これによりボックス８２をアイコン６２に移動させる。
【００１６】
図３Ａに示される再生制御アイコンレイアウトは、フレームステッピング、すなわちＰＡＵＳＥ再生制御モードにおいてあるフレームから後続のフレーム又は先行するフレームに移動させることをサポートしない。図３Ｂは、代替的な再生制御アイコンレイアウトを示しており、ここではフレームステッピング機能がサポートされ、個別の行で示されている。特に、ＲＥＶＥＲＳＥ  ＳＴＥＰ  ８６及びＦＯＲＷＡＲＤ  ＳＴＥＰ  ８８に加えて、８４でＰＡＵＳＥが繰返し示されている。現在の再生制御モードが（ハイライト  ８０により示される）ＰＡＵＳＥ  ８４であるとき、ユーザは右のカーソルキー４６を押し、ハイライト８０は、ＦＯＲＷＡＲＤ  ＳＴＥＰアイコン８８に一時的に移動し、次いで、ＰＡＵＳＥアイコン８４にシフトする。この動作は、ＲＥＶＥＲＳＥ  ＳＴＥＰ  ８６に関して同様に生じる。ビデオ再生装置が、ＵＰカーソル制御キー４０をユーザが押すことで、中段の行におけるアイコンにより示される再生制御モードのいずれかであるとき、ビデオ再生装置は、ＰＡＵＳＥ  ８４のモードに進む。逆に、ＤＯＷＮカーソル制御キー４２をユーザが押すことで、ビデオ再生装置は、ＳＴＯＰ  ７６モードに進む。
【００１７】
図３Ｃは、図３Ｂに示されるレイアウトの代替となる再生制御アイコンのレイアウトを示しており、フレームステッピング機能が図３Ａに示される上段の行に統合される。
【００１８】
更なる代替的な再生制御アイコンレイアウトでは、図３Ｄは、４つの行におけるアイコンレイアウトを示しており、ここではＦＯＲＷＡＲＤ／ＲＥＶＥＲＳＥ  ＰＬＡＹアイコン（７０／６２）がＰＡＵＳＥアイコン６６を直接に隣接しており、ＰＬＡＹからＰＡＵＳＥへの高速切り替わりを可能にする。
【００１９】
本明細書で開示された構造の様々な代替及び変更は、それ自身を当業者に与えるであろう。しかし、先に記載された実施の形態は、例示のみを目的としており、本発明の制限するものとして解釈されるべきではない。本発明の精神から逸脱しない全ての係る変更は、特許請求の範囲に含まれることが意図される。
【図面の簡単な説明】
【００２０】
【図１】本発明を組み込んだビデオ再生装置のブロック図である。
【図２】図１のビデオ再生装置と共に使用するリモート制御装置の一部を示す図である。
【図３】図３Ａ〜図３Ｄは図１のビデオ再生装置により表示されるアイコンの構成の各種実施の形態を示す図である。
【図１】
2007525115.tif 000003
【図２】
2007525115.tif 000004
【図３Ａ】
2007525115.tif 000005
【図３Ｂ】
2007525115.tif 000006
【図３Ｃ】
2007525115.tif 000007
【図３Ｄ】
2007525115.tif 000008
【国際調査報告】
2007525115.tif 000009
2007525115.tif 000010